(57)【特許請求の範囲】
【請求項１】
直交信号を生成するために周波数を１．５で分周するための装置であって、
第１の周波数および２つの位相を有する差分入力信号を受信し、第２の周波数の６位相信号を作り出す分周器、ここにおいて、前記第２の周波数は、前記第１の周波数を３で分周したものである、と、
前記６位相信号を受信し８位相信号を生成する精密位相回転回路、ここにおいて、前記精密位相回転回路は、各々が前記６位相信号内の１つ以上の位相を回転させる１つ以上の遅延セルを備える、と、
前記８位相信号を受信し直交信号生成する２倍周器、ここにおいて、前記直交信号は、前記第１の周波数を１．５で分周したものである第３の周波数を有する、と、
を備える装置。
【請求項２】
各遅延セルは、１つ以上の位相を、１５度、３０度、または４５度回転させる、請求項１に記載の装置。
【請求項３】
実行される位相回転の量は、各遅延セルへの制御信号に基づく、請求項２に記載の装置。
【請求項４】
前記制御信号は、フィードバックループによって決定され、ここにおいて、高い値を有する制御信号は、低い値を有する制御信号よりも少ない遅延を生成する、請求項３に記載の装置。
【請求項５】
各フィードバックループは、１つ以上の論理ＡＮＤゲート、抵抗器、およびキャパシタを備え、ここにおいて、前記抵抗器および前記キャパシタは、前記論理ＡＮＤゲートの出力に対してローパスフィルタとして動作する、請求項４に記載の装置。
【請求項６】
前記位相回転回路は、６つの遅延セルを備え、各々が前記６位相信号内の異なる位相を回転させる、請求項１に記載の装置。
【請求項７】
各遅延セルは、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対する遅延量を決定する、請求項１に記載の装置。
【請求項８】
前記Ｐ型トランジスタおよび前記Ｎ型トランジスタのドレインは、前記遅延セルの出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、請求項７に記載の装置。
【請求項９】
直交信号を生成するために周波数を１．５で分周するための方法であって、
第１の周波数を有する差分信号を受信することと、
前記差分信号に基づいて第２の周波数の６位相信号を作り出すこと、ここにおいて、前記第２の周波数は、前記第１の周波数を３で分周したものである、と、
前記６位相信号を前記第２の周波数の８位相信号に変換すること、ここにおいて、前記６位相信号を８位相信号に変換することは、各々が前記６位相信号内の１つ以上の位相を回転させる１つ以上の遅延セルを備える精密位相回転回路を使用することを備える、と、
前記８位相信号を第３の周波数の直交信号に変換すること、ここにおいて、前記第３の周波数は、前記第１の周波数を１．５で分周したものである、と、
を備える方法。
【請求項１０】
各遅延セルは、１つ以上の位相を、１５度、３０度、または４５度回転させる、請求項９に記載の方法。
【請求項１１】
実行される位相回転の量は、各遅延セルへの制御信号に基づく、請求項１０に記載の方法。
【請求項１２】
１つ以上フィードバックループによって、各遅延セルのための制御信号を決定することをさらに備え、ここにおいて、高い値を有する制御信号は、低い値を有する制御信号よりも少ない遅延を生成する、請求項１１に記載の方法。
【請求項１３】
各フィードバックループは、１つ以上の論理ＡＮＤゲート、抵抗器、およびキャパシタを備え、ここにおいて、前記抵抗器および前記キャパシタは、前記論理ＡＮＤゲートの出力に対するローパスフィルタとして動作する、請求項１２に記載の方法。
【請求項１４】
前記位相回転回路は、６つの遅延セルを備え、各々が前記６位相信号内の異なる位相を回転させる、請求項９に記載の方法。
【請求項１５】
各遅延セルは、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対して遅延量を決定する、請求項９に記載の方法。
【請求項１６】
前記Ｐ型トランジスタおよび前記Ｎ型トランジスタのドレインは、前記遅延セルの出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、請求項１５に記載の方法。
【請求項１７】
直交信号を生成するために周波数を１．５で分周するための装置であって、
第１の周波数を有する差分信号を受信するための手段と、
前記差分信号に基づいて第２の周波数の６位相信号を作り出すための手段、ここにおいて、前記第２の周波数は、第１の周波数を３で分周したものである、と、
前記６位相信号を前記第２の周波数の８位相信号に変換するための手段、ここにおいて、前記６位相信号を８位相信号に変換するための手段は、遅延させること各々が前記６位相信号の１つ以上の位相を回転させる、遅延させるための１つ以上の手段を備える、と、
前記８位相信号を第３の周波数の直交信号に変換するための手段、ここにおいて、前記第３の周波数は、前記第１の周波数を１．５で分周したものである、と、
を備える装置。
【請求項１８】
遅延させるための各手段は、１つ以上の位相を、１５度、３０度、または４５度回転させる、請求項１７に記載の装置。
【請求項１９】
実行される位相回転の量は、遅延させるための各手段への制御信号に基づく、請求項１８に記載の装置。
【請求項２０】
遅延させるための各手段のための制御信号を決定するための１つ以上の手段をさらに備え、ここにおいて、高い値を有する制御信号は、低い値を有する制御信号よりも少ない遅延を生成する、請求項１９に記載の装置。
【請求項２１】
決定するための各手段は、１つ以上の論理ＡＮＤゲート、抵抗器、およびキャパシタを備え、ここにおいて、前記抵抗器および前記キャパシタは、前記論理ＡＮＤゲートの出力に対してローパスフィルタとして動作する、請求項２０に記載の装置。
【請求項２２】
前記変換させるための手段は、６つの遅延セルを備え、各々が前記６位相信号内の異なる位相を回転させる、請求項１７に記載の装置。
【請求項２３】
遅延させるための各手段は、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対して遅延量を決定する、請求項１７に記載の装置。
【請求項２４】
前記Ｐ型トランジスタおよび前記Ｎ型トランジスタのドレインは、前記遅延させるための手段の出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、請求項２３に記載の装置。
【請求項２５】
直交信号を生成するために周波数を１.５で分周するためのコンピュータプログラム製品であって、前記コンピュータプログラム製品は、命令を格納した非一時的なコンピュータ読取可能な媒体を備え、前記命令は、
第１の周波数を有する差分信号を受信するためのコードと、
前記差分信号に基づいて第２の周波数の６位相信号を作り出すためのコード、ここにおいて、前記第２の周波数は、前記第１の周波数を３で分周したものである、と、
前記６位相信号を前記第２の周波数の８位相信号に変換するためのコード、ここにおいて、前記６位相信号を８位相信号に変換するためのコードは、遅延させること各々が前記６位相信号内の１つ以上の位相を回転させる、遅延させるためのコードを備える、と、
前記８位相信号を第３の周波数の直交信号に変換するためのコード、ここで、前記第３の周波数は、前記第１の周波数を１．５で分周したものである、と
を備える、コンピュータプログラム製品。
【請求項２６】
前記遅延させるためのコードは、１つ以上の位相を、１５度、３０度、または４５度回転させる、請求項２５に記載のコンピュータプログラム製品。
【発明の詳細な説明】
【米国特許法１１９条に基づく優先権の主張】
【０００１】
本願は、譲受人に譲渡され、参照によって本明細書に明確に組み込まれる、２０１１年１１月２８日に提出された「A novel divide-by-1.5 circuit」と題する仮出願６１／５６３，９５８号に対する優先権を主張する。
【技術分野】
【０００２】
本開示は一般的に、周波数合成の分野に関する。より詳細には、開示される構成は、直交信号を生成するために、１．５で分周する（dividing a frequency）ことに関する。
【背景技術】
【０００３】
電子デバイス（セルラ電話、ワイヤレスモデム、コンピュータ、デジタルミュージックプレーヤ、全地球測位システムユニット、携帯情報端末、ゲーミングデバイス、等）は、日常生活の一部になってきた。小型のコンピューティングデバイスは現在、自動車から住宅の錠まで、すべてのものに設置されている。電子デバイスの複雑性は、過去数年で劇的に増加している。例えば、多くの電子デバイスは、デバイスの制御を助ける１つ以上のプロセッサだけでなく、このプロセッサおよびデバイスの他の部分をサポートするための多数のデジタル回路を有する。
【０００４】
ワイヤレス通信システムは、音声、ビデオ、データ、等のような様々なタイプの通信コンテンツを提供するために広く展開されている。これらのシステムは、１つ以上の基地局との複数のワイヤレス通信デバイスの同時通信をサポートすることができる多元接続システムでありうる。
【０００５】
モバイルデバイスは、動作中に使用される様々な回路を含みうる。例えば、共振器は、モバイルデバイス内の基板または集積回路のいたるところで様々な回路を同期させるために使用されうる。さらに、モバイルデバイス内の異なる回路は、異なる周波数を用いて動作しうる。このように、直交信号を生成するために１．５で分周することで、利益が実現されうる。
【発明の概要】
【０００６】
直交信号を生成するために１．５で分周するための装置が開示される。装置は、第１の周波数および２つの位相を有する差分入力信号を受信し、第２の周波数の６位相信号を作り出す分周器を含む。第２の周波数は、第１の周波数を３で分周したものである。装置はまた、この６位相信号を受信し、８位相信号を生成する精密位相回転回路（precision phase rotation circuitry）を含む。装置はまた、この８位相信号を受信し、直交信号を生成する２倍周器（doubler)を含む。直交信号は、第１の周波数を１．５で分周したものである第３の周波数を有する。
【０００７】
精密位相回転回路は、各々が６位相信号内の１つ以上の位相を回転させる１つ以上の遅延セルを含みうる。各遅延セルは、６位相信号内の１つ以上の位相を、１５度、３０度、または４５度回転させうる。実行される回転量は、各遅延セルへの制御信号に基づきうる。制御信号は、フィードバックループによって決定されうる。高い値を有する制御信号は、低い値を有する制御信号よりも遅延を生成しない。各フィードバックループは、１つ以上の論理ＡＮＤゲート、抵抗器、およびキャパシタを含みうる。抵抗器およびキャパシタは、論理ＡＮＤゲートの出力に対してローパスフィルタとして動作しうる。
【０００８】
位相回転回路は、各々が６位相信号内の異なる位相を回転させる６つの遅延セルを含みうる。一構成において、各遅延セルは、直列配置（series configuration）で、Ｐ型トランジスタ、Ｎ型トランジスタ、およびＮ型デジェネレイショントランジスタ（degeneration transistor）を含む。デジェネレイショントランジスタのゲートで受信される制御信号は、Ｐ型トランジスタおよびＮ型トランジスタのゲートで受信される入力信号のための遅延量を決定しうる。Ｐ型トランジスタおよびＮ型トランジスタのドレインは、遅延セルの出力で結合されうる。Ｎ型トランジスタのソースは、デジェネレイショントランジスタのドレインに結合されうる。デジェネレイショントランジスタのソースは、接地に結合されうる。Ｐ型トランジスタのソースは、直流基準電圧に結合されうる。
【０００９】
直交信号を生成するために周波数を１.５で分周するための方法もまた開示される。第１の周波数を有する差分信号が受信される。第２の周波数の６位相信号が差分信号に基づいて作り出され、ここで、第２の周波数は、第１の周波数を３で分周したものである。６位相信号は、第２の周波数の８位相信号に変換される。８位相信号は、第３の周波数の直交信号に変換され、ここで、第３の周波数は、第１の周波数を１.５で分周したものである。
【００１０】
直交信号を生成するために周波数を１.５で分周するための装置もまた開示される。装置は、第１の周波数を有する差分信号を受信するための手段を含む。装置はたまた、差分信号に基づいて第２の周波数の６位相信号を作り出すための手段を含み、ここで、第２の周波数は、第１の周波数を３で分周したものである。装置はまた、６位相信号を第２の周波数の８位相信号に変換するための手段を含む。装置はまた、８位相信号を第３の周波数の直交信号に変換するための手段を含み、ここで、第３の周波数は、第１の周波数を１.５で分周したものである。
【００１１】
直交信号を生成するために周波数を１．５で分周するためのコンピュータプログラム製品もまた開示される。コンピュータプログラム製品は、命令を有するコンピュータ読取可能な媒体を備える。命令は、第１の周波数を有する差分信号を受信するためのコードを含む。命令はまた、差分信号に基づいて第２の周波数の６位相信号を作り出すためのコードを含み、ここで、第２の周波数は、第１の周波数を３で分周したものである。命令はまた、６位相信号を第２の周波数の８位相信号に変換するためのコードを含む。命令はまた、８位相信号を第３の周波数の直交信号に変換するためのコードを含み、ここで、第３の周波数は、第１の周波数を１.５で分周したものである。
【図面の簡単な説明】
【００１２】
【図１】図１は、受信機を示すブロック図である。
【図２】図２は、１.５分周（divide-by-1.5）モジュールのブロック図である。
【図３】図３は、１.５分周モジュールを示すブロック図である。
【図４Ａ】図４Ａは、精密位相回転回路への入力である６位相信号（Ｘ１−Ｘ６）を示す位相図である。
【図４Ｂ】図４Ｂは、精密位相回転回路からの出力である８位相信号を示す位相図である。
【図５】図５は、例えば、精密位相回転回路で使用される遅延セルを示す回路図である。
【図６】図６は、直交信号を生成するために周波数を１.５で分周するための方法を示すフロー図である。
【図７Ａ】図７Ａは、第１のフィードバックループの動作を示す回路図である。
【図７Ｂ】図７Ｂは、第１のフィードバックループおよび遅延セルによって引き起こされる位相回転のグラフィック図である。
【図８Ａ】図８Ａは、第２のフィードバックループの動作を示す回路図である。
【図８Ｂ】図８Ｂは、第２のフィードバックループおよび遅延セルによって引き起こされる位相回転のグラフィック図である。
【図９Ａ】図９Ａは、第２のフィードバックループの動作を示す回路図である。
【図９Ｂ】図９Ｂは、第３のフィードバックループおよび遅延セルによって引き起こされる位相回転のグラフィック図である。
【図１０】図１０は、電子デバイス／ワイヤレスデバイス内に含まれうる特定のコンポーネントを示す。
【発明を実施するための形態】
【００１３】
周波数を１.５で分周する１つの可能な方法は、２倍周器の後に分周器（３分周）アーキテクチャを使用することである。直交信号が望まれる場合、分周器は、そのような構成において直交信号を出力しうる。しかしながら、この構成は、いくつかの問題を有しうる。第１に、分周器は、比較的高い周波数（例えば、クロック周波数の２倍）で動作し得、プロセスにわたって不安定さをもたらしうる。第２に、ダブラのための直交入力を得るために、クロック信号は、ＲＣ／ＣＲネットワークによってハイパス／ローパスフィルタリングされ（例えば、バッファを使用して）、これは、比較的高い消費電力と、劣等な信号品質とに帰着しうる。例えば、ＲＣ／ＣＲネットワークは、差分信号から直交信号を生成するために使用され、例えば、ＲＣ部（ローパスフィルタを実現する抵抗−容量回路）は、信号を＋４５度回転させ、ＣＲ部（ハイパスフィルタを実現する容量−抵抗回路）は、同一の信号を−４５度回転させうる。比較的劣等な消費電力に加えて、ＲＣ／ＣＲネットワークは、その他の性能の制限として、ブロードバンド信号に対して適応性がない可能性がある。
【００１４】
第３に、高い位相ノイズおよび不正確な位相関係は、ププロセス依存型のハイパス／ローパスフィルタリングに起因しうる。本明細書で使用される場合、「２倍周器」という用語は、信号の周波数を約２倍にするモジュールを指す。「分周器」という用語は、信号の周波数を分周するモジュールを指しうる。例えば、「３分周（divide-by-3）」モジュールは、分周比が３の分周器でありうる。
【００１５】
本明細書のシステムおよび方法は、分周器（例えば、３分周）の後に２倍周器を使用しうる。分周器は、プロセスにわたってよりロバストな機能を提供しうるより低い周波数（ＶＣＯ周波数）で動作しうる。直交位相生成について、デジタル信号品質（良い位相ノイズおよび残余サイドバンド性能のための）を維持し、消費電流を減らす精密位相回転回路および方法が使用されうる。
【００１６】
分周器の後に２倍周器（Ｉ２倍周器およびＱ２倍周器）を有するアーキテクチャにおいて、これらの２倍周器は、８つの位相（４５度ずつ離れた）を使用して、４つの直交位相（９０度ずつ離れた）を生成しうる。しかしながら、分周器は、本質的に、６つの位相（６０度ずつ離れた）を生成することしかできない。このように、精密位相回転は、４つの直交位相を生成するために２倍周器によって使用される８つの位相を生成するために使用されうる。さらに、本明細書のシステムおよび方法は、任意の端数の（fractional）分周比、例えば、２.５、３.５、等を生成するために使用されうる。
【００１７】
図１は、受信機１０２を示すブロック図である。受信機１０２は、ワイヤレス通信用に設計されたモバイルデバイスまたは基地局の一部、例えば、超高速データレート（ＳＨＤＲ）受信局所共振器（ＬＯ）パスの一部でありうる。受信機１０２は、とりわけ、低ノイズ増幅器（ＬＮＡ）１１２、周波数シンセサイザ１０４、位相回転を有する１.５分周モジュール１０８、ミキサ１１６を含みうる。ＬＮＡ １１２は、アンテナ１２０からワイヤレス通信信号を受信しうる。ＬＮＡ １１２は、受信された信号を利用可能なレベルに増幅し、無線周波数（ＲＦ）信号１１４、すなわち、送られた元の信号を表したもの、を生成しうる。周波数シンセサイザ１０４は、特定のアプリケーションに向けられた差分信号１０６を出力しうる。周波数シンセサイザ１０４は、異なる周波数を生成することができる。位相回転を有する１.５分周モジュール１０８は、この差分信号１０６を受信し、直交信号１３２を出力しうる。以下で説明されるように、位相回転を有する１.５分周モジュール１０８は、分周器に続いて２倍周器を使用しうる。受信機１０２において示されているが、位相回転を有する１．５分周モジュール１０８は、ワイヤレス通信用に設計されたモバイルデバイスまたは基地局内の様々なアプリケーションで使用されうる。ミキサ１１６は、ＬＮＡ １１２からＲＦ信号１１４を、位相回転を有する１.５分周モジュール１０８から直交信号１３２を受信し、ベースバンド信号１１８を生成しうる。ベースバンド信号１１８は、送信側デバイス上のマイクロフォンによって受信された実際の再構築されたオーディオ、例えば、音声スピーチまたは他の種類のデータでありうる。このように、受信機１０２は、ベースバンド信号１１８を再構築するためにミキサ１１６を使用しうる。
【００１８】
図２は、１．５分周モジュール２０８のブロック図である。１．５分周モジュール２０８は、３分周モジュール２２２の後に精密位相回転回路２２４を含み、その後に１つ以上の２倍周器２２６ａ−ｂが続く。３分周モジュール２２２は、例えば、周波数シンセサイザ１０４から、差分信号２０６を受信しうる。３分周モジュール２２２は、差分信号２０６の周波数を分周し、精密位相回転回路２２４のための６位相信号２２８を生成しうる。精密位相回転回路２２４は、この６位相信号２２８を受信し、８位相信号２３０を生成しうる。これは、１つ以上の遅延セル２３８および１つ以上のフィードバックループ２３６を使用することを含みうる。本明細書で使用される場合、「遅延セル」２３８という用語は、時間ドメインで信号を時間遅延させるか、周波数ドメインで信号を位相シフトさせる任意のモジュールを指す。８位相信号２３０内の位相のうち４つは、Ｉ（同相）２倍周器２２６ａに送られ、他の４つの位相は、Ｑ（異相）２倍周器２２６ｂに送られうる。Ｉ２倍周器２２６ａとＱ２倍周器２２６ｂの出力の組み合わせは、直交信号２３２を形成しうる。
【００１９】
分周器２２２の後に２倍周器２２６ａ−ｂを有する（２倍周器の後に分周器を有するというよりはむしろ）アーキテクチャを使用することによって、１.５分周モジュール２０８に関連付けられた問題の多くが回避されうる。具体的には、３分周モジュール２２２を、２倍周器２２６ａ−ｂの前に設置することによって、３分周モジュール２２２は、例えば、２倍のＶＣＯ周波数（２×Ｆｖｃｏ）ではなく、ＶＣＯ周波数（Ｆｖｃｏ）のような、より低い周波数で動作することができる。これにより、より信頼性の高い分周器２２２の機能が可能になる。加えて、１.５分周モジュール２０８は、ＲＣ／ＣＲネットワーク（例えば、単一の位相を複数の位相へと分けるための）を含まないことができ、これは、より低い消費電流に帰着しうる。一構成において、消費電流は、２倍周器２２６ａ−ｂの後に分周器２２２を有する構成と比較して約４０％減らされうる。加えて、１.５分周モジュール０８の位相精度は、プロセスおよび温度に依存しないことができ得、それは、残余サイドバンド性能を、例えば、約１０ｄＢぶん向上させうる。
【００２０】
図３は、１．５分周モジュール３０８を示すブロック図である。示されたように、１.５分周モジュール３０８は、３分周モジュール３２２、精密位相回転回路３２４、および１つ以上の２倍周器３２６ａ−ｂを含みうる。３分周モジュール３２２は、周波数Ｆｖｃｏの差分信号３０６（すなわち、２つの位相）を受信し、Ｆｖｃｏ／３の周波数の６位相信号（Ｘ１−Ｘ６）３２８ａ−ｆを生成しうる。精密位相回転回路３２４は、６位相信号（Ｘ１−Ｘ６）３２８ａ−ｆを受信し、８位相信号（Ｏｕｔ０−Ｏｕｔ３１５）３３０ａ−ｈを生成しうる。８位相信号（Ｏｕｔ０−Ｏｕｔ３１５）３３０ａ−ｈ内の位相のうち４つは、Ｉ（同相）２倍周器３２６ａに送られ、他の４つの位相は、Ｑ（異相）２倍周器３２６ｂに送られうる。Ｉ２倍周器３２６ａとＱ２倍周器３２６ｂの組み合わせられた出力は、直交信号（ＱｕａｄＯｕｔ１−ＱｕａｄＯｕｔ４）３３２ａ−ｄを形成しうる。
【００２１】
具体的には、精密位相回転回路３２４は、遅延セル３３８ａ−ｆとフィードバックループ３４０、３４２、３４４との組み合わせを使用して、６位相信号（Ｘ１-Ｘ６)３２８ａ−ｆを８位相信号（Ｏｕｔ０−Ｏｕｔ２１５）３３０ａ−ｈへと変えうる。各遅延セル３３８ａ−ｆは、６位相信号（Ｘ１−Ｘ６）３２８ａ−ｆからの１つの位相と、制御信号（すなわち、ＶＣ１ ３４６、ＶＣ２ ３４８、またはＶＣ３ ３５０）とを受信し、８位相信号（Ｏｕｔ０−Ｏｕｔ３１５）３３０ａ−ｈ内の位相のうちの１つを生成しうる。例えば、第１の遅延セル３３８ａは、Ｘ２ ３２８ｂを（６位相信号３２８から）、ＶＣ１ ３４６を（第１のフィードバックループ３４０から）受信し、Ｏｕｔ２７０ ３３０ｇを生成しうる。同様に、第２の遅延セル３３８ｂは、Ｘ５ ３２８ｅを（６位相信号３２８から）、ＶＣ１ ３４６を（第１のフィードバックループ３４０から）受信し、Ｏｕｔ９０ ３３０ｃを生成しうる。Ｏｕｔ２２５ ３３０ｆ、Ｏｕｔ４５ ３３０ｂ、Ｏｕｔ３１５ ３３０ｈ、およびＯｕｔ１３５ ３３０ｄを生成するために、それぞれ、第３の遅延セル３３８ｃ、第４の遅延セル３３８ｄ、第５の遅延セル３３８ｅ、および第６の遅延セル３３８ｆについて同様の処理パスが精密位相回転回路３２４において示されている。
【００２２】
各フィードバックループ３４０、３４２、３４４は、位相を調整するため、すなわち、６位相信号（Ｘ１−Ｘ６）３２８ａ−ｆ内の位相を回転させて８位相信号（Ｏｕｔ０−Ｏｕｔ３１５）３３０ａ−ｆを生成するように遅延セル３３８ａ−ｆを制御するのに使用される制御信号（ＶＣ１−ＶＣ３）３４６、３４８、３５０を生成するために、ＡＮＤゲート、抵抗器、キャパシタ、および演算増幅器の組み合わせを含みうる。精密位相回転回路３２４の一構成では、フィードバックループ３４０、３４２、３４４は、同様の回路エレメントを含みうるが、受信される入力が異なるため、結果として、異なる出力に帰着しうる。例えば、第１のフィードバックループ３４０は、第１の制御信号（ＶＣ１）３４６を生成するために、Ｏｕｔ０ ３３０ａ（Ｘ１ ３２８ａと同一である）、Ｏｕｔ９０ ３３０ｃ、Ｏｕｔ１８０ ３３０ｅ（Ｘ４ ３２８ｄと同一である）、およびＯｕｔ２７０ ３３０ｇを受信しうる。第２のフィードバックループ３４２は、第２の制御信号（ＶＣ２）３４８を生成するために、Ｏｕｔ０ ３３０ａ、Ｏｕｔ４５ ３３０ｂ、Ｏｕｔ９０ ３３０ｃ、Ｏｕｔ１８０ ３３０ｅ、Ｏｕｔ２２５ ３３０ｆ、およびＯｕｔ２７０ ３３０ｇを受信しうる。第３のフィードバックループは、第３の制御信号（ＶＣ３）３５０を生成するために、Ｏｕｔ０ ３３０ａ、Ｏｕｔ９０ ３３０ｃ、Ｏｕｔ１３５ ３３０ｄ、Ｏｕｔ１８０ ３３０ｅ、Ｏｕｔ２７０ ３３０ｇ、およびＯｕｔ３１５ ３３０ｈを受信しうる。制御信号（ＶＣ１−ＶＣ３）３４６、３４８、３５０は、どれだけの遅延が遅延セル３３８ａ−ｆによって実行されるかを決定しうる。Ｘ１ ３２８ａおよびＸ４ ３２８ｄは、それぞれ、遅延セル３３８ａ−ｆからのさらなる遅延がない場合、Ｏｕｔ０ ３３０ａおよびＯｕｔ１８０ ３３０ｅに等しいとみなされうる。
【００２３】
Ｉ（同相）２倍周器３２６ａおよびＱ（異相）２倍周器３２６ｂは、各々、Ｆｖｃｏ／１.５である第３の周波数を有する直交信号３３２を生成するために、８位相信号（Ｏｕｔ０−Ｏｕｔ３１５）３３０ａ−ｈ内の位相のうち４つを受信しうる。具体的には、Ｉ２倍周器３２６ａは、直交信号（ＱｕａｄＯｕｔ１−ＱｕａｄＯｕｔ２）３３２ａ−ｂ内の２つの位相を生成するために、Ｏｕｔ０ ３３０ａ、Ｏｕｔ１８０ ３３０ｅ、Ｏｕｔ９０ ３３０ｃおよびＯｕｔ２７０ ３３０ｇを受信しうる。同様に、Ｑ２倍周器３２６ｂは、直交信号（ＱｕａｄＯｕｔ３−ＱｕａｄＯｕｔ４）３３２ｃ−ｄ内の他の２つの位相を生成するために、Ｏｕｔ４５ ３３０ｂ、Ｏｕｔ２２５ ３３０ｆ、Ｏｕｔ３１５ ３３０ｈ、およびＯｕｔ１３５ ３３０ｄを受信しうる。
【００２４】
図４Ａは、精密位相回転回路３２４に入力される６位相信号（Ｘ１−Ｘ６）４２８ａ−ｆを示す位相図である。例えば、６つの位相（Ｘ１−Ｘ６）４２８ａ−ｆは、３分周モジュール３２２から出力されうる。示されるように、６位相信号（Ｘ１−Ｘ６）４２８ａ−ｆの位相は、互いに均等に６０度ずつ間隔が空けられうる。換言すると、Ｘ１ ４２８ａ、Ｘ６ ４２８ｆ、Ｘ５ ４２８ｅ、Ｘ４ ４２８ｄ、Ｘ３ ４２８ｃ、およびＸ２ ４２８ｂは、それぞれ、０、６０、１２０、１８０、２４０、および３００度の位相を有しうる。
【００２５】
図４Ｂは、精密位相回転回路３２４から出力される８位相信号４３０を示す位相図である。例えば、８つの位相（Ｏｕｔ０−Ｏｕｔ３１５）４３０ａ−ｈは、直交信号（ＱｕａｄＯｕｔ１−ＱｕａｄＯｕｔ４）３３２ａ−ｄを生成するために、Ｉ（同相）２倍周器３２６ａとＱ（異相）２倍周器３２６ｂとの間に入力されうる。示されるように、８位相信号（Ｏｕｔ０−Ｏｕｔ３１５）４３０ａ−ｈの位相は、互いに均等に４５度ずつ間隔が空けられうる。換言すると、Ｏｕｔ０ ４３０ａ、Ｏｕｔ４５ ４３０ｂ、Ｏｕｔ９０ ４３０ｃ、Ｏｕｔ１３５ ４３０ｄ、Ｏｕｔ１８０ ４３０ｅ、Ｏｕｔ２２５ ４３０ｆ、Ｏｕｔ２７０ ４３０ｇ、およびＯｕｔ３１５ ４３０ｈは、それぞれ、０、４５、９０、１３５、１８０、２２５、２７０、および３１５度の位相を有しうる。
【００２６】
図５は、例えば、精密位相回転回路３２４で使用される遅延セル５３８を示す回路図である。遅延セル５３８は、入力信号５２８（例えば、６位相信号（Ｘ１−Ｘ６）３２８ａ−ｆの一部）および制御信号５５２（例えば、フィードバックループ３４０、３４２、３４４からの）を受信し、出力信号（例えば、８位相信号（Ｏｕｔ０−Ｏｕｔ３１５）３３０ａ−ｈの一部）を生成しうる。入力信号５２８は、Ｐ型金属酸化膜半導体（ＰＭＯＳ）トランジスタ５５４およびＮ型金属酸化膜半導体（ＮＭＯＳ）トランジスタ５５６のゲートに供給されうる。Ｐ型トランジスタ５５４は、Ｎ型トランジスタ５５６と直列配置されうる。
【００２７】
制御信号５５２は、デジェネレイショントランジスタ５５８、例えば、Ｎ型デジェネレイショントランジスタ５５８のゲートに供給されうる。一構成において、制御信号５５２の電圧レベルが高くなるにつれ、出力信号５３０で生成される遅延は低下する。すなわち、制御信号５５２の最大電圧は、出力信号５３０におけるゼロ遅延を生成しうる。逆に、制御信号５５２の電圧レベルが低くなるにつれ、出力信号５３０で生成される遅延は高まる。すなわち、制御信号５５２のゼロ電圧は、出力信号５３０における最大遅延を生成しうる。デジェネレイショントランジスタ５５８を有する構成が示されているが、遅延セル５３８の任意の適切な構成が使用されうる。例えば、制御信号５５２に基づいて可変遅延を提供する切替キャパシタバンクが使用されうる。さらに、使用される構成に関係なく、１つ以上の遅延セル５３８は、可能な遅延を増加させるために互いにカスケード接続されうる。
【００２８】
一構成において、ＰＭＯＳトランジスタ５５４のソースは、直流（ＤＣ）基準電圧（Ｖｄｄ）５５３に結合されうる。ＰＭＯＳトランジスタ５５４およびＮＭＯＳトランジスタ５５６のドレインは、互いに結合されうる。ＮＭＯＳトランジスタ５５６のソースは、デジェネレイショントランジスタ５５８のドレインに結合されうる。デジェネレイショントランジスタ５５８のソースは、接地５６０に結合されうる。具体的には、制御信号５５２は、デジェネレイショントランジスタ５５８の抵抗を調整し、それによって、遅延セル５３８の遅延全体を調整しうる。さらに、デジェネレイショントランジスタ５５８の大きさ（dimension）は、本明細書のシステムおよび方法が適用されうる特定のアプリケーションについて選択されうる。例えば、より小さいデジェネレイショントランジスタ５５８は、より大きい抵抗を可能にし、遅延セル５３８の遅延レンジ全体に影響を及ぼしうる。
【００２９】
図６は、直交信号２３２を生成するために周波数を１.５で分周するための方法６００を示すフロー図である。方法６００は、１．５分周モジュール２０８によって実行されうる。１.５分周モジュール２０８は、例えば、ＶＣＯ周波数（Ｆｖｃｏ）などの第１の周波数を有する差分信号２０６を受信しうる６０２。例えば、差分信号２０６は、受信機１０２内の周波数シンセサイザ１０４から受信されうる。１.５分周モジュール２０８はまた、第２の周波数の６位相信号２２８を作り出しうる６０４。ここで、第２の周波数は、第１の周波数を３で分周したもの、すなわち、Ｆｖｃｏ／３である。１.５分周モジュール２０８は、６位相信号２２８を作り出すために、３分周モジュール２２２を使用しうる。６位相信号２２８の位相は、互いに均等に６０度ずつ間隔が空けられうる。すなわち、６位相信号は、０、６０、１２０、１８０、２４０、および３００度の位相を有しうる。
【００３０】
１.５分周モジュール２０８はまた、６位相信号２２８を、第２の周波数、すなわちＦｖｃｏ／３の８位相信号２３０に変換しうる６０６。これは、精密位相回転回路２２４を使用することを含みうる。具体的には、この変換は、遅延セル２３８とフィードバック２３６の組み合わせを使用して、６位相信号２２８から８位相信号２３０を作り出すことを含みうる。１．５分周モジュール２０８はまた、８位相信号２３０を、第１の周波数を１．５で分周したもの、および第２の周波数に２を掛けたものである第３の周波数の直交信号２３２に変換しうる６０８。換言すると、第３の周波数は、Ｆｖｃｏ／１.５でありうる。これは、例えば、Ｉ（同相）２倍周器２２６ａおよびＱ（異相）２倍周器２２６ｂ等、１つ以上の２倍周器を使用することを含みうる。
【００３１】
図７Ａは、第１のフィードバックループ７４０の動作を示す回路図である。フィードバック７４０は、遅延セル７３８ａ−ｂによって導入される遅延量を決定する第１の制御信号（ＶＣ１）７４６を生成するために、位相回転回路３２４において利用可能な様々な信号を使用しうる。換言すると、第１の制御信号（ＶＣ１）７４６は、Ｘ２ ７２８ｂおよびＸ５ ７２８ｅをどれだけ遅延させるかを決定するために、遅延セル７３８ａ−ｂの入力にフィードバックされうる。具体的には、第１のフィードバックループ７４０は、第１の制御信号（ＶＣ１）７４６を生成するために、Ｏｕｔ０ ７３０ａ（Ｘ１ ７２８ａと同一である）、Ｏｕｔ９０ ７３０ｃ、Ｏｕｔ１８０ ７３０ｅ（Ｘ４ ７２８ｄと同一である）、Ｏｕｔ２７０ ７３０ｇを受信しうる。
【００３２】
フィードバックループ７４０は、演算増幅器７６８への２つの入力を提供するために、４つの論理ＡＮＤゲート７６２ａ−ｄ、４つの抵抗器（Ｒ１−Ｒ４）７６４ａ−ｄ、および２つのキャパシタ（Ｃ１−Ｃ２）７６６ａ−ｂを含みうる。最初の２つのＡＮＤゲート７６２ａ−ｂ、最初の２つの抵抗器（Ｒ１−Ｒ２）７６４ａ−ｂ、および第１のキャパシタ（Ｃ１）７６６ａは、演算増幅器７６８の正入力端子への入力を提供する第１（すなわち、上）の平均化回路として動作しうる。最後の２つのＡＮＤゲート７６２ｃ−ｄ、最後の２つの抵抗器（Ｒ３−Ｒ４）７６４ｃ−ｄ、および第２のキャパシタ（Ｃ２）７６６ｂは、演算増幅器７６８の負入力端子への入力を提供する第２（すなわち、下）の平均化回路として動作しうる。抵抗器（Ｒ１−Ｒ４）７６４ａ−ｄおよびキャパシタ（Ｃ１−Ｃ２）７６６ａ−ｂは、結合して、ＡＮＤゲート７６２ａ−ｄの出力をローパスフィルタリングしうる。さらに、正端子の入力電圧は、Ｖｐと呼ばれ、負端子の入力電圧は、Ｖｎと呼ばれるだろう。電圧は、ＤＣ電圧単位の観点からフィードバックループに関して説明され、ここで、１ｕ＝１ＤＣ電圧単位＝Ｖｄｄ／１２である。
【００３３】
まず、ＶＣ１ ７４６が最大であり、遅延セル７３８ａ−ｂにおいて遅延を引き起こさないと想定する。遅延が無い場合、第１の遅延セルの出力は、３００度（Ｘ２ ７２８ｂと同じ）であり、第２の遅延セルの出力は、１２０度（Ｘ５ ７２８ｅと同じ）でありうる。上の平均化回路は、Ｖｐ＝２ｕを生成し、下の平均化回路は、Ｖｎ＝４ｕを生成しうる。同じでない入力は、演算増幅器７６８の出力（ＶＣ１）７４６を低くし、これは、より多くの遅延をもたらす。Ｖｐ＝Ｖｎ＝３ｕとなるように、Ｘ２ ７２８ｂおよびＸ５ ７２８ｅが遅延させられた場合に均衡が確立されうる。したがって、Ｘ２ ７２８ｂおよびＸ５ ７２８ｅはそれぞれ、Ｏｕｔ２７０ ７３０ｇおよびＯｕｔ９０ ７３０ｃになるように、３０度（すなわち、１ｕ）ぶん効率的に遅延させられうる。
【００３４】
図７Ｂは、第１のフィードバックループ７４０および遅延セル７３８ａ−ｂによって引き起こされる位相回転のグラフィック図である。左側では、Ｘ１ ７２８ａ、Ｘ２ ７２８ｂ、Ｘ４ ７２８ｄ、およびＸ５ ７２８ｅ（第１のフィードバックループ７４０への入力）がそれぞれ、０、３００、１８０、および１２０度で示されている。右側では、Ｏｕｔ０ ７３０ａ、Ｏｕｔ９０ ７３０ｃ、Ｏｕｔ１８０ ７３０ｅ、およびＯｕｔ２７０ ７３０ｇが、それぞれ、０、９０、１８０、および２７０度で示されている。このように、Ｘ１ ７２８ａおよびＸ４ ７２８ｄを基準として使用して、遅延セル７３８ａ−ｂおよび第１のフィードバックループ７４０は、Ｘ２ ７２８ｂおよびＸ５ ７２８ｅを時計回りに３０度回転させることができる。
【００３５】
図８Ａは、第２のフィードバックループ８４２の動作を示す回路図である。フィードバック８４２は、遅延セル８３８ｃ−ｄによって導入される遅延量を決定する第２の制御信号（Ｖ２）８４８を生成するために、位相回転回路３２４において利用可能な様々な信号を使用しうる。換言すると、第２の制御信号（ＶＣ２）８４８は、Ｘ３ ８２８ｃおよびＸ６ ８２８ｄをどれだけ遅延させるかを決定するために、遅延セル８３８ｃ−ｄの入力にフィードバックされうる。第２のフィードバックループ８４２は、第２の制御信号（ＶＣ２）８４８を生成するために、Ｏｕｔ０ ８３０ａ、Ｏｕｔ４５ ８３０ｂ、Ｏｕｔ９０ ８３０ｃ、Ｏｕｔ１８０ ８３０ｅ、Ｏｕｔ２２５ ８３０ｆ、およびＯｕｔ２７０ ８３０ｇを受信しうる。
【００３６】
図８Ａに示された第２のフィードバックループ８４２は、図７Ａに示された第１のフィードバックループ７４０と同様の機能性および回路エレメントを含みうる。具体的には、図８Ａに示されたＡＮＤゲート８６２ａ−ｄ、抵抗器（Ｒ１−Ｒ４）８６４ａ−ｄ、キャパシタ（Ｃ１−Ｃ２）８６６ａ−ｂ、および演算増幅器８６８は、図７Ａに示されたＡＮＤゲート７６２ａ−ｄ、抵抗器（Ｒ１−Ｒ４）７６４ａ−ｄ、キャパシタ（Ｃ１−Ｃ２）７６６ａ−ｂ、および演算増幅器７６８に対応しうる。
【００３７】
しかしながら、それとは異なり、遅延セル８３８ｃ−ｄおよび第２のフィードバックループ８４２は、Ｘ１ ８２８ａおよびＸ４ ８２８ｄを基準として使用して、Ｘ３ ８２８ｃおよびＸ６ ８２８ｆを時計周りに１５度回転させうる（図７ＡにおいてみられるようなＸ２ ７２８ｂおよびＸ５ ７２８ｅを３０度回転させる代わりに）。これを行うために、上の平均化回路は、Ｖｐ＝１ｕを生成し、下の平均化回路は、Ｖｎ＝２ｕを生成しうる。同じでない入力は、演算増幅器８６８の出力（ＶＣ２）８４８を低くさせ、これは、より多くの遅延をもたらす。Ｖｐ＝Ｖｎ＝１．５ｕとなるようにＸ３ ８２８ｃおよびＸ６ ８２８ｆを遅延させた場合に均衡が確立されうる。したがって、Ｘ３ ８２８ｃおよびＸ６ ８２８ｆはそれぞれ、Ｏｕｔ２２５ ８３０ｆおよびＯｕｔ４５ ８３０ｂになるように、１５度効率的に遅延させられうる。
【００３８】
図８Ｂは、第２のフィードバックループ８４２および遅延セル８３８ｃ−ｄによって引き起こされる位相回転のグラフィック図である。左側では、Ｘ１ ８２８ａ、Ｘ３ ７２８ｃ、Ｘ４ ８２８ｄ、およびＸ６ ８２８ｆ（第２のフィードバックループ８４２への入力）がそれぞれ、０、２４０、１８０、および６０度で示される。右側では、Ｏｕｔ０ ８３０ａ、Ｏｕｔ４５ ８３０ｂ、Ｏｕｔ１８０ ８３０ｅ、およびＯｕｔ２２５ ８３０ｆがそれぞれ、０、４５、１８０、および２２５度で示される。このように、Ｘ１ ８２８ａおよびＸ４ ８２８ｄを基準として使用して、遅延セル８３８ｃ−ｄおよび第２のフィードバックループ８４２は、Ｘ３ ８２８ｃおよびＸ６ ８２８ｆを時計回りに１５度回転させることができる。
【００３９】
図９Ａは、第３のフィードバックループ９４４の動作を示す回路図である。フィードバックループ９４４は、遅延セル９３８ｅ−ｆによって導入される遅延量を決定する第３の制御信号（ＶＣ３）９５０を生成するために、位相回転回路３２４において利用可能な様々な信号を使用しうる。換言すると、第３の制御信号（ＶＣ３）９５０は、Ｘ１ ９２８ａおよびＸ４ ９２８ｄをどれだけ遅延させるかを決定するために、遅延セル９３８ｅ−ｆの入力にフィードバックされうる。第３のフィードバックループは、第３の制御信号（ＶＣ３）９５０を生成するために、Ｏｕｔ０ ９３０ａ、Ｏｕｔ９０ ９３０ｃ、Ｏｕｔ１３５ ９３０ｄ、Ｏｕｔ１８０ ９３０ｅ、Ｏｕｔ２７０ ９３０ｇ、およびＯｕｔ３１５ ９３０ｈを受信しうる。
【００４０】
図９Ａに示された第３のフィードバックループ９４４は、図７Ａに示された第１のフィードバックループ７４０と同様の機能性および回路エレメントを含みうる。具体的には、図９Ａに示されたＡＮＤゲート９６２ａ−ｄ、抵抗器（Ｒ１−Ｒ４）９６４ａ−ｄ、キャパシタ（Ｃ１−Ｃ２）９６６ａ−ｂ、および演算増幅器９６８は、図７Ａに示されたＡＮＤゲート７６２ａ−ｄ、抵抗器（Ｒ１−Ｒ４）７６４ａ−ｄ、キャパシタ（Ｃ１−Ｃ２）７６６ａ−ｂ、および演算増幅器７６８に対応しうる。
【００４１】
しかしながら、それとは異なり、遅延セル９３８ｅ−ｆおよび第３のフィードバックループ９４４は、Ｘ１ ９２８ａおよびＸ４ ９２８ｄを時計回りに４５度回転させうる。これを行うために、上の平均化回路は、Ｖｐ＝３ｕを生成し、下の平均化回路は、Ｖｎ＝０ｕを生成しうる。Ｖｐ＝Ｖｎ＝１．５ｕとなるようにＸ１ ９２８ａおよびＸ４ ９２８ｄが遅延させられる場合に均衡が確立されうる。したがって、Ｘ１ ９２８ａおよびＸ４ ９２８ｄは、それぞれ、Ｏｕｔ３１５ ９３０ｈおよびＯｕｔ１３５ ９３０ｄになるように、効率的に４５度遅延させられうる。
【００４２】
図９Ｂは、第３のフィードバックループ９４４および遅延セル９３８ｅ−ｆによって引き起こされる位相回転のグラフィック図である。左側では、Ｘ１ ９２８ａおよびＸ４ ９２８ｄはそれぞれ、０度および１８０度で示される。右側では、Ｏｕｔ０ ９３０ａ、Ｏｕｔ１３５ ９３０ｄ、Ｏｕｔ１８０ ９３０ｅ、およびＯｕｔ３１５ ９３０ｈがそれぞれ、０、１３５、１８０、および３１５度で示される。このように、Ｘ１ ９２８ａおよびＸ４ ９２８ｄは、遅延セル９３８ｅ−ｆおよび第３のフィードバックループ９４４を用いて、時計回りに４５度回転されうる。
【００４３】
図１０は、電子デバイス／ワイヤレスデバイス１００４内に含まれうる特定のコンポーネントを示す。電子デバイス／ワイヤレスデバイス１００４は、アクセス端末、モバイル局、ユーザ端末（ＵＥ）、基地局、アクセスポイント、ブロードキャスト送信機、ノードＢ、発展型ノードＢ、等でありうる。電子デバイス／ワイヤレスデバイス１００４は、プロセッサ１００３を含む。プロセッサ１００３は、汎用の単一チップまたはマルチチップのマイクロプロセッサ（例えば、ＡＲＭ）、専用マイクロプロセッサ（例えば、デジタルシグナルプロセッサ（ＤＳＰ））、マイクロコントローラ、プログラマブルゲートアレイ、等でありうる。プロセッサ１００３は、中央処理ユニット（ＣＰＵ）と呼ばれうる。図１０の電子デバイス／ワイヤレスデバイス１００４には単一のプロセッサ１００３だけが示されているが、代替的な構成では、プロセッサの組み合わせ（例えば、ＡＲＭとＤＳＰ）が使用されることもできる。
【００４４】
電子デバイス／ワイヤレスデバイス１００４はまた、メモリ１００５も含む。メモリ１００５は、電子情報を記憶することができる電子コンポーネントでありうる。メモリ１００５は、ランダムアクセスメモリ（ＲＡＭ）、読取専用メモリ（ＲＯＭ）、磁気ディスク記憶媒体、光学記憶媒体、ＲＡＭにおけるフラッシュメモリデバイス、プロセッサと共に含まれるオンボードメモリ、ＥＰＲＯＭメモリ、ＥＥＰＲＯＭメモリ、レジスタ、等、およびそれらの組み合わせとして具現化されうる。
【００４５】
データ１００７ａおよび命令１００９ａは、メモリ１００５に記憶されうる。命令１００９ａは、本明細書で開示された方法を実現するためにプロセッサ１００３によって実行可能でありうる。命令１００９ａを実行することは、メモリ１００５に記憶されたデータ１００７ａを使用することを含みうる。プロセッサ１００３が命令１１０９ａを実行する場合、命令１１０９ｂの様々な部分がプロセッサ１００３にロードされ、データ１１０７ｂの様々な部分がプロセッサ１００３にロードされうる。
【００４６】
電子デバイス／ワイヤレスデバイス１００４はまた、電子デバイス／ワイヤレスデバイス１００４への信号の送信と、そこからの信号の受信を可能にするために、送信機１０１１および受信機１０１３を含みうる。送信機１０１１および受信機１０１３は、総称して、トランシーバ１０１５と呼ばれうる。複数のアンテナ１０１７ａ−ｂは、トランシーバ１０１５に電気的に結合されうる。電子デバイス／ワイヤレスデバイス１００４はまた、複数の送信機、複数の受信機、複数のトランシーバ、および／または追加のアンテナを含みうる（示されていない）。
【００４７】
電子デバイス／ワイヤレスデバイス１００４は、デジタルシグナルプロセッサ（ＤＳＰ）１０２１を含みうる。電子デバイス／ワイヤレスデバイス１００４はまた、通信インターフェース１０２３を含みうる。通信インターフェース１０２３は、ユーザが、電子デバイス／ワイヤレスデバイス１００４と対話することを可能にしうる。
【００４８】
電子デバイス／ワイヤレスデバイス１００４の様々なコンポーネントは、電力バス、制御信号バス、ステータス信号バス、データバス、等を含みうる１つ以上のバスによって互いに結合されうる。明確さのために、図１０では様々なバスがバスシステム１０１９として示されている。
【００４９】
本明細書で説明された技術は、直交多重化スキームに基づく通信システムを含む、様々な通信システムに使用されうる。このような通信システムの例には、直交周波数分割多元接続（ＯＦＤＭＡ）システム、単一キャリア周波数分割多元接続（ＳＣ−ＦＤＭＡ）システム、等が含まれる。ＯＦＤＭＡシステムは、システム帯域幅全体を複数の直交サブキャリアに分割する変調技術である、直交周波数分割多重化（ＯＦＤＭ）を利用する。これらのサブキャリアは、トーン、ビン、等とも呼ばれうる。ＯＦＤＭの場合、各サブキャリアは、独立してデータと変調されうる。ＳＣ−ＦＤＭＡシステムは、インターリーブドＦＤＭＡ（ＩＦＤＭＡ）を利用して、システム帯域幅全体にわたって分散したサブキャリアで送信するか、ローカライズドＦＤＭＡ（ＬＦＤＭＡ）を利用して、隣接サブキャリアの１つのブロックで送信するか、エンハンスドＦＤＭＡ（ＥＦＤＭＡ）を利用して、隣接サブキャリアの複数のブロックで送信しうる。一般的に、ＯＦＤＭでは周波数ドメインにおいて、ＳＣ−ＦＤＭＡでは時間ドメインにおいて、変調シンボルが送られる。
【００５０】
「決定すること」という用語は、多種多様な動作を包含し、したがって、「決定すること」とは、算出すること、計算すること、処理すること、導出すること、調査すること、ルックアップすること（例えば、表、データベース、または別のデータ構造をルックアップすること）、確認すること、等を含みうる。また、「決定すること」は、受信すること（例えば、情報を受信すること）、アクセスすること（例えば、メモリ内のデータにアクセスすること）、等を含みうる。また、「決定すること」は、解決すること、選択すること、選ぶこと、確立すること、等を含みうる。
【００５１】
「〜に基づいて」という表現は、別途明確に記載されていない限り、「〜だけに基づいて」を意味しない。換言すると、「〜に基づいて」という表現は、「〜だけに基づいて」および「少なくとも〜に基づいて」の両方を説明する。
【００５２】
「プロセッサ」という用語は、汎用プロセッサ、中央処理ユニット（ＣＰＵ）、マイクロプロセッサ、デジタルシグナルプロセッサ（ＤＳＰ）、コントローラ、マイクロコントローラ、ステートマシン、等を包含するように広く解釈されるべきである。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）、等を指しうる。「プロセッサ」という用語は、例えば、ＤＳＰと、１つのマイクロプロセッサ、複数のマイクロプロセッサ、ＤＳＰコアと連結した１つ以上のマイクロプロセッサ、または、任意の他のこのような構成との組み合わせのような、処理デバイスの組み合わせを指しうる。
【００５３】
「メモリ」という用語は、電子情報を記憶することができる任意の電子コンポーネントを包含するように広く解釈されるべきである。メモリという用語は、ランダムアクセスメモリ（ＲＡＭ）、読取専用メモリ（ＲＯＭ）、不揮発性ランダムアクセスメモリ（ＮＶＲＡＭ）、プログラマプル読取専用メモリ（ＰＲＯＭ）、消去可能プログラマブル読取専用メモリ（ＥＰＲＯＭ）、電気的消去可能ＰＲＯＭ（ＥＥＰＲＯＭ）、フラッシュメモリ、磁気的または光学的データ記憶装置、レジスタ、等のような、様々なタイプのプロセッサ読取可能な媒体を指しうる。メモリは、プロセッサがそのメモリから情報を読み取ることができる、および／または、それに情報を書き込むことができる場合、そのプロセッサと電子通信していると考えられる。プロセッサに統合されているメモリは、そのプロセッサと電子通信している。
【００５４】
「命令」および「コード」という用語は、任意のタイプのコンピュータ読取可能なステートメントを包含するように広く解釈されるべきである。例えば、「命令」および「コード」という用語は、１つ以上のプログラム、ルーチン、サブルーチン、関数、プロシージャ、等を指しうる。「命令」および「コード」は、単一のコンピュータ読取可能なステートメント、または多数のコンピュータ読取可能なステートメントを備えうる。
【００５５】
本明細書で説明された機能は、ハードウェアによって実行されているソフトウェアまたはファームウェアで実現されうる。これら機能は、１つ以上の命令として、コンピュータ読取可能な媒体に記憶されうる。「コンピュータ読取可能な媒体」または「コンピュータプログラム製品」という用語は、コンピュータまたはプロセッサによってアクセスされることができる任意の有形な記憶媒体を指す。限定ではなく例として、コンピュータ読取可能な媒体は、ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用されることができ、かつ、コンピュータによってアクセスされることができる任意の他の媒体を備えうる。ディスク（ｄｉｓｋ）とディスク（ｄｉｓｃ）は、本明細書で使用される場合、コンパクトディスク（ＣＤ）、レーザディスク、光ディスク、デジタル多用途ディスク（ＤＶＤ）、フロッピー（登録商標）ディスク、ブルーレイ（登録商標）ディスクを含む。ここで、ディスク（ｄｉｓｋ）は、通常磁気的にデータを再生し、ディスク（ｄｉｓｃ）はレーザを用いて光学的にデータを再生する。
【００５６】
本明細書に開示された方法は、説明された方法を達成するための１つ以上のステップまたは動作を備える。方法のステップおよび／または動作は、本願の特許請求の範囲から逸脱せずに、互いに置き換えられうる。換言すると、ステップまたは動作の特定の順序が、説明されている方法の適切な動作に必要とされない限り、特定のステップおよび／または動作の順序および／または使用は、特許請求の範囲から逸脱することなく変更されうる。
【００５７】
さらに、図６によって示されたもののような、本明細書において説明された方法および技術を実行するためのモジュールおよび／または他の適切な手段が、デバイスによってダウンロード、および／または、他の方法で取得されうることは認識されるべきである。例えば、デバイスは、本明細書で説明された方法を実行するための手段の転送を容易にするためにサーバに結合されうる。代替的に、本明細書で説明された様々な方法は、記憶手段（例えば、ランダムアクセスメモリ（ＲＡＭ）、読取専用メモリ（ＲＯＭ）、コンパクトディスク（ＣＤ）またはフロッピーディスクのような物理記憶媒体、等）を介して提供され、それによってデバイスは、この記憶手段をデバイスに結合または提供することで、様々な方法を取得しうる。
【００５８】
本願の特許請求の範囲が、上に示されたまさにその構成およびコンポーネントに限定されないことは理解されるべきである。特許請求の範囲から逸脱することなく、本明細書に説明されたシステム、方法、および装置の、配置、操作、および詳細において、様々な変更、変化、および変形が行われうる。
以下に本願発明の当初の特許請求の範囲に記載された発明を付記する。
［Ｃ１］  直交信号を生成するために周波数を１．５で分周するための装置であって、
第１の周波数および２つの位相を有する差分入力信号を受信し、第２の周波数の６位相信号を作り出す分周器、ここにおいて、前記第２の周波数は、前記第１の周波数を３で分周したものである、と、
前記６位相信号を受信し８位相信号を生成する精密位相回転回路と、
前記８位相信号を受信し直交信号生成する２倍周器、ここにおいて、前記直交信号は、前記第１の周波数を１．５で分周したものである第３の周波数を有する、と、
を備える装置。
［Ｃ２］  前記精密位相回転回路は、各々が前記６位相信号内の１つ以上の位相を回転させる１つ以上の遅延セルを備える、Ｃ１に記載の装置。
［Ｃ３］  各遅延セルは、１つ以上の位相を、１５度、３０度、または４５度回転させる、Ｃ２に記載の装置。
［Ｃ４］  実行される位相回転の量は、各遅延セルへの制御信号に基づく、Ｃ３に記載の装置。
［Ｃ５］  前記制御信号は、フィードバックループによって決定され、ここにおいて、高い値を有する制御信号は、低い値を有する制御信号よりも少ない遅延を生成する、Ｃ４に記載の装置。
［Ｃ６］  各フィードバックループは、１つ以上の論理ＡＮＤゲート、抵抗器、およびキャパシタを備え、ここにおいて、前記抵抗器および前記キャパシタは、前記論理ＡＮＤゲートの出力に対してローパスフィルタとして動作する、Ｃ５に記載の装置。
［Ｃ７］  前記位相回転回路は、６つの遅延セルを備え、各々が前記６位相信号内の異なる位相を回転させる、Ｃ２に記載の装置。
［Ｃ８］  各遅延セルは、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対する遅延量を決定する、Ｃ２に記載の装置。
［Ｃ９］  前記Ｐ型トランジスタおよび前記Ｎ型トランジスタのドレインは、前記遅延セルの出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、Ｃ８に記載の装置。
［Ｃ１０］  直交信号を生成するために周波数を１．５で分周するための方法であって、
第１の周波数を有する差分信号を受信することと、
前記差分信号に基づいて第２の周波数の６位相信号を作り出すこと、ここにおいて、前記第２の周波数は、前記第１の周波数を３で分周したものである、と、
前記６位相信号を前記第２の周波数の８位相信号に変換することと、
前記８位相信号を第３の周波数の直交信号に変換すること、ここにおいて、前記第３の周波数は、前記第１の周波数を１．５で分周したものである、と、
を備える方法。
［Ｃ１１］  前記６位相信号を８位相信号に変換することは、各々が前記６位相信号内の１つ以上の位相を回転させる１つ以上の遅延セルを備える精密位相回転回路を使用することを備える、Ｃ１０に記載の方法。
［Ｃ１２］  各遅延セルは、１つ以上の位相を、１５度、３０度、または４５度回転させる、Ｃ１１に記載の方法。
［Ｃ１３］  実行される位相回転の量は、各遅延セルへの制御信号に基づく、Ｃ１２に記載の方法。
［Ｃ１４］  １つ以上フィードバックループによって、各遅延セルのための制御信号を決定することをさらに備え、ここにおいて、高い値を有する制御信号は、低い値を有する制御信号よりも少ない遅延を生成する、Ｃ１３に記載の方法。
［Ｃ１５］  各フィードバックループは、１つ以上の論理ＡＮＤゲート、抵抗器、およびキャパシタを備え、ここにおいて、前記抵抗器および前記キャパシタは、前記論理ＡＮＤゲートの出力に対するローパスフィルタとして動作する、Ｃ１４に記載の方法。
［Ｃ１６］  前記位相回転回路は、６つの遅延セルを備え、各々が前記６位相信号内の異なる位相を回転させる、Ｃ１１に記載の方法。
［Ｃ１７］  各遅延セルは、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対して遅延量を決定する、Ｃ１１に記載の方法。
［Ｃ１８］  前記Ｐ型トランジスタおよび前記Ｎ型トランジスタのドレインは、前記遅延セルの出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、Ｃ１７に記載の方法。
［Ｃ１９］  直交信号を生成するために周波数を１．５で分周するための装置であって、
第１の周波数を有する差分信号を受信するための手段と、
前記差分信号に基づいて第２の周波数の６位相信号を作り出すための手段、ここでにおいて、前記第２の周波数は、第１の周波数を３で分周したものである、と、
前記６位相信号を前記第２の周波数の８位相信号に変換するための手段と、
前記８位相信号を第３の周波数の直交信号に変換するための手段、ここにおいて、前記第３の周波数は、前記第１の周波数を１．５で分周したものである、と、
を備える装置。
［Ｃ２０］  前記６位相信号を８位相信号に変換するための手段は、遅延させること各々が前記６位相信号の１つ以上の位相を回転させる、遅延させるための１つ以上の手段を備える、Ｃ１９に記載の装置。
［Ｃ２１］  遅延させるための各手段は、１つ以上の位相を、１５度、３０度、または４５度回転させる、Ｃ２０に記載の装置。
［Ｃ２２］  実行される位相回転の量は、遅延させるための各手段への制御信号に基づく、Ｃ２１に記載の装置。
［Ｃ２３］  遅延させるための各手段のための制御信号を決定するための１つ以上の手段をさらに備え、ここにおいて、高い値を有する制御信号は、低い値を有する制御信号よりも少ない遅延を生成する、Ｃ２２に記載の装置。
［Ｃ２４］  決定するための各手段は、１つ以上の論理ＡＮＤゲート、抵抗器、およびキャパシタを備え、ここにおいて、前記抵抗器および前記キャパシタは、前記論理ＡＮＤゲートの出力に対してローパスフィルタとして動作する、Ｃ２３に記載の装置。
［Ｃ２５］  前記変換させるための手段は、６つの遅延セルを備え、各々が前記６位相信号内の異なる位相を回転させる、Ｃ２０に記載の装置。
［Ｃ２６］  遅延させるための各手段は、直列配置で、Ｐ型トランジスタ、Ｎ型トランジスタ、およびＮ型デジェネレイショントランジスタを備え、ここにおいて、前記デジェネレイショントランジスタのゲートで受信される制御信号は、前記Ｐ型トランジスタおよび前記Ｎ型トランジスタのゲートで受信された入力信号に対して遅延量を決定する、Ｃ２０に記載の装置。
［Ｃ２７］  前記Ｐ型トランジスタおよび前記Ｎ型トランジスタのドレインは、前記遅延させるための手段の出力で結合され、前記Ｎ型トランジスタのソースは、前記デジェネレイショントランジスタのドレインに結合され、前記デジェネレイショントランジスタのソースは、接地され、前記Ｐ型トランジスタのソースは、直流基準電圧に結合される、Ｃ２６に記載の装置。
［Ｃ２８］  直交信号を生成するために周波数を１.５で分周するためのコンピュータプログラム製品であって、前記コンピュータプログラム製品は、命令を格納した非一時的なコンピュータ読取可能な媒体を備え、前記命令は、
第１の周波数を有する差分信号を受信するためのコードと、
前記差分信号に基づいて第２の周波数の６位相信号を作り出すためのコード、ここにおいて、前記第２の周波数は、前記第１の周波数を３で分周したものである、と、
前記６位相信号を前記第２の周波数の８位相信号に変換するためのコードと、
前記８位相信号を第３の周波数の直交信号に変換するためのコード、ここで、前記第３の周波数は、前記第１の周波数を１．５で分周したものである、と
を備える、コンピュータプログラム製品。
［Ｃ２９］  前記６位相信号を８位相信号に変換するためのコードは、遅延させること各々が前記６位相信号内の１つ以上の位相を回転させる、遅延させるためのコードを備える、Ｃ２８に記載のコンピュータプログラム製品。
［Ｃ３０］  前記遅延させるためのコードは、１つ以上の位相を、１５度、３０度、または４５度回転させる、Ｃ２９に記載のコンピュータプログラム製品。
【要約】  直交信号を生成するために周波数を１．５で分周するための装置が開示される。装置は、第１の周波数および２つの位相を有する差分入力信号を受信し、第２の周波数の６位相信号を作り出す分周器を含む。第２の周波数は、第１の周波数を３で分周したものである。装置はまた、６位相信号を受信し、８位相信号を生成する精密位相回転回路を含む。装置はまた、８位相信号を受信し、直交信号を生成する２倍周器を含む。直交信号は、第１の周波数を１．５で分周したものである第３の周波数を有する。【図１】
0005657844.tif 000002
【図２】
0005657844.tif 000003
【図３】
0005657844.tif 000004
【図４Ａ】
0005657844.tif 000005
【図４Ｂ】
0005657844.tif 000006
【図５】
0005657844.tif 000007
【図６】
0005657844.tif 000008
【図７Ａ】
0005657844.tif 000009
【図７Ｂ】
0005657844.tif 000010
【図８Ａ】
0005657844.tif 000011
【図８Ｂ】
0005657844.tif 000012
【図９Ａ】
0005657844.tif 000013
【図９Ｂ】
0005657844.tif 000014
【図１０】
0005657844.tif 000015